(57)【要約】【課題】写真プリント受注用の見本プリントの作成に際し、撮影者の意図がより確実に反映されることによって撮影者にとって受注の見込める見本プリントを作成することのできる見本プリント作成システムを提供する。【解決手段】撮影者からの画像データに基づいてインデックスデータを作成するインデックスデータ作成手段２１と、前記インデックスデータ作成手段により作成されたインデックスデータをネットワークを介して接続された前記撮影者側の端末１００に表示させ、表示させたインデックスデータに対して撮影者側の端末から送られる注文情報を受け付ける注文情報受付手段２２と、前記撮影者からの注文情報及びインデックスデータに基づき、前記撮影者がプリント注文者に提示するためのプリント受注用の見本プリントを作成する見本プリント作成手段２３とを有する見本プリント作成システム。【選択図】        図１
2005165979.tif 000002
【特許請求の範囲】
【請求項１】
撮影者からの画像データに基づいてインデックスデータを作成するインデックスデータ作成手段と、
前記インデックスデータ作成手段により作成されたインデックスデータをネットワークを介して接続された前記撮影者側の端末に表示させ、表示させたインデックスデータに対して撮影者側の端末から送られる注文情報を受け付ける注文情報受付手段と、
前記撮影者からの注文情報及びインデックスデータに基づき、前記撮影者がプリント注文者に提示するためのプリント受注用の見本プリントを作成する見本プリント作成手段とを有することを特徴とする見本プリント作成システム。
【請求項２】
前記インデックスデータには、撮影業者名、団体名、行事名、受付番号、画像番号の少なくとも１種の情報が記録されていることを特徴とする請求項１記載の見本プリント作成システム。
【請求項３】
前記撮影者側の端末から前記ネットワークを介して送られる見本プリント作成のための情報には、画像を見本プリントにしない情報、プリントサイズの情報、プリント枚数の情報、集合写真か否かの情報、アルバム写真か否かの情報、写真の順番、文字情報、トリミング指示情報の少なくとも１種の情報が記録されていることを特徴とする請求項１又は２記載の見本プリント作成システム。
【請求項４】
撮影者からのフィルムに基づいてインデックスデータを作成するインデックスデータ作成手段と、
前記インデックスデータ作成手段により作成されたインデックスデータをネットワークを介して接続された前記撮影者側の端末に表示させ、表示させたインデックスデータに対して撮影者側の端末から送られる注文情報を受け付ける注文情報受付手段と、
前記撮影者からの注文情報及びインデックスデータに基づき、前記撮影者がプリント注文者に提示するためのプリント受注用の見本プリントを作成する見本プリント作成手段とを有することを特徴とする見本プリント作成システム。
【請求項５】
前記インデックスデータには、撮影業者名、団体名、行事名、受付番号、画像番号の少なくとも１種の情報が記録されていることを特徴とする請求項４記載の見本プリント作成システム。
【請求項６】
前記撮影者側の端末から前記ネットワークを介して送られる注文情報には、画像を見本プリントにしない情報、プリントサイズの情報、プリント枚数の情報、集合写真か否かの情報、アルバム写真か否かの情報、写真の順番、文字情報、トリミング指示情報の少なくとも１種の情報が記録されていることを特徴とする請求項４又は５記載の見本プリント作成システム。
【発明の詳細な説明】
【技術分野】
【０００１】
本発明は、学校や会社等の団体の行事を撮影した写真プリントを受注するために、プリント注文者に対して撮影者が提示する見本プリントを作成するための見本プリント作成システムに関する。
【背景技術】
【０００２】
幼稚園や各種学校、会社等の団体の行事においては、写真館等から派遣された撮影者によって行事の様子を撮影することが行われている。撮影者は、撮影したフィルムや画像データをプリント作成業者（以下、ラボという。）に送り、ラボにおいて作成された見本プリントを受け取った後、この見本プリントに基づいて、プリント注文者からのプリントの注文を受け付けるようにしている。
【０００３】
ここで、行事写真が学校行事の行事写真である場合の学校、撮影者及びラボの間での流れを簡単に説明すると、まず、学校は学校行事計画を撮影者に連絡し、この連絡を受けた撮影者は、行事当日に行事の様子及び学生たちの撮影を行う。
【０００４】
撮影後、撮影者は撮影したフィルムや画像データをラボに送り、ラボではこれを回収した後、プリント受注を行うための撮影内容を示す見本プリントを作成し、撮影者に納品する。撮影者は、この見本プリントを学校に貼り出し、学生からのプリントの注文を受け付ける。
【０００５】
撮影者が利益を得るためには、自己の商品である写真プリントを如何に多く受注するかが重要である。行事写真のような場合、プリントの受注を大きく左右するのは、購入者が購入したいと思う写真プリントが数多く存在することである。
【０００６】
しかし、従来の見本プリントは、撮影したフィルムや画像データに基づいてラボにおいて一方的に作成され、作成後の見本プリントが撮影者に対して納品されるだけである。
【０００７】
従って、撮影者にとって受注の見込める、すなわち、プリント注文者から受注され易くて自己の利益につながるような写真が表示されている見本プリントの作成システムが望まれる。
【発明の開示】
【発明が解決しようとする課題】
【０００８】
そこで、本発明の課題は、写真プリント受注用の見本プリントの作成に際し、撮影者の意図がより確実に反映されることによって撮影者にとって受注の見込める見本プリントを作成することのできる見本プリント作成システムを提供することにある。
【０００９】
本発明の他の課題は、以下の記載によって明らかとなる。
【課題を解決するための手段】
【００１０】
上記課題は、以下の各発明によって解決される。
【００１１】
（請求項１）撮影者からの画像データに基づいてインデックスデータを作成するインデックスデータ作成手段と、前記インデックスデータ作成手段により作成されたインデックスデータをネットワークを介して接続された前記撮影者側の端末に表示させ、表示させたインデックスデータに対して撮影者側の端末から送られる注文情報を受け付ける注文情報受付手段と、前記撮影者からの注文情報及びインデックスデータに基づき、前記撮影者がプリント注文者に提示するためのプリント受注用の見本プリントを作成する見本プリント作成手段とを有することを特徴とする見本プリント作成システム。
【００１２】
（請求項２）前記インデックスデータには、撮影業者名、団体名、行事名、受付番号、画像番号の少なくとも１種の情報が記録されていることを特徴とする請求項１記載の見本プリント作成システム。
【００１３】
（請求項３）前記撮影者側の端末から前記ネットワークを介して送られる見本プリント作成のための情報には、画像を見本プリントにしない情報、プリントサイズの情報、プリント枚数の情報、集合写真か否かの情報、アルバム写真か否かの情報、写真の順番、文字情報、トリミング指示情報の少なくとも１種の情報が記録されていることを特徴とする請求項１又は２記載の見本プリント作成システム。
【００１４】
（請求項４）撮影者からのフィルムに基づいてインデックスデータを作成するインデックスデータ作成手段と、前記インデックスデータ作成手段により作成されたインデックスデータをネットワークを介して接続された前記撮影者側の端末に表示させ、表示させたインデックスデータに対して撮影者側の端末から送られる注文情報を受け付ける注文情報受付手段と、前記撮影者からの注文情報及びインデックスデータに基づき、前記撮影者がプリント注文者に提示するためのプリント受注用の見本プリントを作成する見本プリント作成手段とを有することを特徴とする見本プリント作成システム。
【００１５】
（請求項５）前記インデックスデータには、撮影業者名、団体名、行事名、受付番号、画像番号の少なくとも１種の情報が記録されていることを特徴とする請求項４記載の見本プリント作成システム。
【００１６】
（請求項６）前記撮影者側の端末から前記ネットワークを介して送られる注文情報には、画像を見本プリントにしない情報、プリントサイズの情報、プリント枚数の情報、集合写真か否かの情報、アルバム写真か否かの情報、写真の順番、文字情報、トリミング指示情報の少なくとも１種の情報が記録されていることを特徴とする請求項４又は５記載の見本プリント作成システム。
【発明の効果】
【００１７】
本発明によれば、写真プリント受注用の見本プリントの作成に際し、撮影者の意図がより確実に反映されることによって撮影者にとって受注の見込める見本プリントを作成することのできる。
【発明を実施するための最良の形態】
【００１８】
以下、本発明の実施の形態について図面に基づいて説明する。
【００１９】
図１は、見本プリント作成システムの一例を示す説明図であり、行事写真の撮影者とラボとの関係を示している。
【００２０】
図１において、撮影者１が所有するコンピュータ端末１００とラボ２側が管理するサーバ２００とが、相互にデータの送受信可能にネットワーク３００を介して接続されている。
【００２１】
撮影者１は、行事の様子を撮影した画像データを、コンピュータ端末１００を用いてラボ２のサーバ２００へ送信する。アナログフィルムの場合はフィルムスキャナ１０１を用いてデジタル画像データに変換した後に送信すればよい。撮影者１のコンピュータ端末１００からデジタル画像データをラボ２側のサーバ２００へ送る際は、行事の団体名、行事名の情報も同時にラボ２側のサーバ２００へ送る。アナログフィルム３やデジタル画像データ４を記録した記録メディアが複数ある場合は、その撮影順の情報も送ることが好ましい。
【００２２】
また、アナログフィルムから画像データへの変換は、アナログフィルムを撮影者１からラボ２に送り、ラボ２側でスキャンして行う態様でも良い。
【００２３】
本発明に係る見本プリント作成システムは、ラボ２のサーバ２００はインデックスデータ作成手段２１、注文情報受付手段２２、見本プリント作成手段２３を備えている。
【００２４】
撮影者１から送信された画像データはラボ２側のサーバ２００の図示しない主記憶装置に一旦格納される。ラボ２のサーバ２００では、この撮影者１のコンピュータ端末１００から送信された画像データ及び後述する注文情報に基づき、インデックスプリント作成手段２１によりインデックスデータが作成される。
【００２５】
インデックスデータは、撮影者１のコンピュータ端末１００を撮影内容に基づいて見本プリントの作成をする、しないの選択や、各写真についてプリントサイズやトリミング処理の有無等をラボ２側に指示させるために撮影者１のコンピュータ端末１００に表示を行うためのデータである。
【００２６】
インデックスデータは、注文情報受付手段２２により、撮影者１のコンピュータ端末１００において表示させる情報としてコンピュータ端末１００に送信される。インデックスデータによる表示の具体例は図２乃至図８に示す。ここでは、行事の団体が学校の場合を示している。
【００２７】
図２に示すような画面で学校名入力欄１０と行事名入力欄１１が表示され、学校名と行事名との入力が促される。
【００２８】
学校名と行事名の入力を受け付けると、当該学校名と行事名に該当するデータが選択され、該インデックスデータに基づいて図３に示すような画面で撮影画像１２が表示される。撮影者１は表示された画面に基づいて見本プリントにプリントしたい撮影画像を選択することができる。例えば、プリントを希望する撮影画像を選択して注文タグ１３をクリックすることによりプリント画像の選択ができる。
【００２９】
撮影画像が選択されると、図４に示すような画面で撮影画像のサイズ等の注文情報を指定する入力が促される。図４においては、当該写真のプリントサイズ（Ｌサイズ、ＫＧサイズ、２Ｌサイズ）の指示のためのサイズ指示欄１７、プリント枚数指示欄１４、当該写真を集合写真としてプリントする指示のための集合用指示欄１５、当該写真をアルバム写真としてプリントする指示のためのアルバム用指示欄１６、写真の順番を入れ替える指示のための入れ替え指示欄１７、当該写真に文字を入れる指示のための文字入れ指示欄１８、当該写真にトリミング処理を行う指示のためのトリミング指示欄１９がそれぞれ設けられている。これは全て設けられる必要はなく、これらのうちの少なくとも１種あればよい。入力された注文情報は、サーバ２００の注文情報受付手段２２により記録される。
【００３０】
図４に示す画面において、トリミング指示欄１９が選択された場合、図５に示すような画面でトリミング処理を行うための入力が促される。図５に示すように、トリミング枠を調整することによってトリミング範囲が決定される。撮影者１側のコンピュータ端末１００でトリミングを行った画像データに基づいて見本プリントの画像が作成されるので、撮影者１の意図が反映されやすく好ましい。
【００３１】
また、図４に示す画面において、文字入れ指示欄１８が選択された場合、図６に示すような画面で文字入れ処理を行うための入力が促される。図６において、横書き文字を入力する指示をするための横書き指示タグ２１ａ、縦書き文字を入力する指示をするための縦書き指示タグ２１ｂ、入力される文字の文字種を指定するための文字種指定欄２２、入力される文字のフォントを指定するための文字フォント指定欄２３、入力される文字が太字となるように指定するための太字指定欄２４、入力される文字が斜体となるように指定するための斜体指定欄２５、文字を前寄せ、中央寄せ、後寄せのいずれにするかを指定するための文字寄せ指定欄２６、入力される文章を指定するための文書入力欄２７、入力される文字の色を示す文字色指定タグ群２８が示されている。図６において入力された文字は、図７に示すように撮影者１が確認可能なように表示される。確認したら注文タグ２９を例えばクリックして選択する。図７に示すような画面で出来上がりを確認できるので、より撮影者の意図が的確に反映された注文を受け付けることができる。
【００３２】
図７において確認後、図８に示す画面において、注文内容を表示して、撮影者１が確認可能とする。図８に示すように注文内容と共に料金３０又は受け取り店名３１を表示させるようにすることが好ましい。料金を表示させると、撮影者１が注文と同時に支払いの金額を確認できるからである。受け取り店名を表示させると、見本プリントを受け取る店名が分かるからである。
【００３３】
本発明の見本プリント作成システムにおいて、ラボ２のサーバ２００の注文情報受付手段２２は、図２乃至図８に示す画面において表示させたインデックスデータに対して撮影者１側の端末１００から送られる注文情報を受け付ける。
【００３４】
図２乃至図８に示す画面に基づいて撮影者１側のコンピュータ端末１００において入力された情報は、注文情報として注文情報受付手段２２において受け付けられる。
【００３５】
また、本発明に係る見本プリント作成システムは、見本プリント作成手段２３によってプリントする際は、例えば、現像処理装置などを用いることができる。
【００３６】
ラボ２のサーバ２００は、この見本プリント作成手段２３を用いて、インデックスデータ作成手段２１で作成したインデックスデータ及び注文情報受付手段２２で受け付けた注文情報に基づいて見本プリントを作成する。
【００３７】
このように本発明によると見本プリント作成のための撮影者１の意図が反映された注文情報及びインデックスデータに基づいて見本プリントが作成されているため、撮影者１は満足でき、且つ受注の見込める見本プリントを手にすることができる。
【００３８】
上記のサーバ２００は、主記憶装置、演算装置、制御装置、入力装置、出力装置等を有しており、前記インデックスデータ作成手段２１、注文情報受付手段２２、見本プリント作成手段２３の機能は、具体的には、それぞれ主記憶装置、演算装置、制御装置、入力装置、出力装置により処理されることによってその機能を実現する。
【００３９】
また、上記実施の態様においては、インデックスデータ作成手段２１、注文情報受付手段２２、見本プリント作成手段２３は１つのサーバ２００で実現されているが、各手段毎に処理を行うサーバを設けて、これら３つの手段を分散して処理する態様も本発明に含まれる。
【図面の簡単な説明】
【００４０】
【図１】見本プリント作成システムの一例を示す説明図
【図２】インデックスデータによる表示の具体例
【図３】インデックスデータによる表示の他の具体例
【図４】インデックスデータによる表示の他の具体例
【図５】インデックスデータによる表示の他の具体例
【図６】インデックスデータによる表示の他の具体例
【図７】インデックスデータによる表示の他の具体例
【図８】インデックスデータによる表示の他の具体例
【符号の説明】
【００４１】
１：撮影者
１００：コンピュータ端末
１０１：フィルムスキャナ
２：ラボ
２００：サーバ
２１：インデックスデータ作成手段
２２：注文情報受付手段
２３：見本プリント作成手段
３００：ネットワーク
【図１】
2005165979.tif 000003
【図２】
2005165979.tif 000004
【図３】
2005165979.tif 000005
【図４】
2005165979.tif 000006
【図５】
2005165979.tif 000007
【図６】
2005165979.tif 000008
【図７】
2005165979.tif 000009
【図８】
2005165979.tif 000010